(57)【要約】【課題】  コンサート等に用いられるデジタルアンプ等のＰＡ機器において、ワードクロックを選択する作業を省力化する。【解決手段】  第１〜第４入力ポートから入力されるデジタル音声信号には、適宜クロック信号が重畳される。クロック抽出回路３０〜３６のうち何れかによってクロック信号が抽出されると、当該クロック信号が選択スイッチ３８によってワードクロックとして選択され、その周波数はカレント周波数CUR_WCとしてメモリに記憶される。一方、何れの抽出回路３０〜３６によってもクロック信号が抽出できなかった場合は、内蔵クロック・ジェネレータ４８の出力周波数がCUR_WCに設定され、その出力信号が選択スイッチ３８においてワードクロックとして選択される。ＤＡコンバータ４０〜４６は、選択されたワードクロックに同期して、デジタル音声信号をアナログ信号に変換する。【選択図】  図３
2010232958.tif 000002
【特許請求の範囲】
【請求項１】
各々に対して、デジタル音声信号が供給されるとともに必要に応じてクロック信号が重畳され得る複数の入力ポートと、
前記各入力ポートに供給される前記デジタル音声信号に前記クロック信号が重畳されている場合に、該クロック信号を抽出する複数のクロック信号抽出手段と、
前記複数のクロック信号抽出手段の何れかから前記クロック信号が抽出されたことを条件として、該抽出された何れかのクロック信号をワードクロックとして選択する第１の選択手段と、
前記第１の選択手段によって選択されたクロック信号の周波数を記録する周波数記憶手段と、
指定された周波数のクロック信号を出力する内蔵クロック・ジェネレータと、
前記複数のクロック信号抽出手段の全てから前記クロック信号が抽出されなかったことを条件として、前記内蔵クロック・ジェネレータの出力周波数を前記周波数記憶手段に記録された周波数に設定するとともに、前記内蔵クロック・ジェネレータの出力するクロック信号をワードクロックとして選択する第２の選択手段と、
前記選択されたワードクロックに同期して、前記複数の入力ポートに供給されたデジタル音声信号を受信する受信手段と
を具備することを特徴とするデジタル音響機器。
【請求項２】
各々に対して、デジタル音声信号が供給されるとともに必要に応じてクロック信号が重畳され得る複数の入力ポートと、
前記各入力ポートに供給される前記デジタル音声信号に前記クロック信号が重畳されている場合に、該クロック信号を抽出する複数のクロック信号抽出手段と、
周波数を記録する周波数記憶手段と、
指定された周波数のクロック信号を出力する内蔵クロック・ジェネレータと、
前記複数のクロック信号抽出手段および前記内蔵クロック・ジェネレータの出力する各クロック信号のうち一のクロック信号をワードクロックとして選択するクロック選択手段と、
前記選択されたワードクロックに同期して、前記複数の入力ポートに供給されたデジタル音声信号を受信する受信手段と、
処理装置と
を有するデジタル音響機器に適用されるプログラムであって、
前記複数のクロック信号抽出手段の何れかから前記クロック信号が抽出されているか否かを判定する判定過程と、
前記判定過程の判定結果が肯定的であることを条件として、前記クロック選択手段に対して、該抽出された何れかのクロック信号を前記ワードクロックとして選択させる第１の選択過程と、
前記第１の選択過程によって選択されたクロック信号の周波数を前記周波数記憶手段に記憶させる記憶過程と、
前記判定過程の判定結果が否定的であることを条件として、前記内蔵クロック・ジェネレータの出力周波数を前記周波数記憶手段に記録された周波数に設定するとともに、前記クロック選択手段に対して、前記内蔵クロック・ジェネレータの出力するクロック信号を前記ワードクロックとして選択させる第２の選択過程と
を前記処理装置に実行させることを特徴とするプログラム。
【発明の詳細な説明】
【技術分野】
【０００１】
本発明は、コンサート用のアンプ等のＰＡ機器に用いて好適なデジタル音響機器およびプログラムに関する。
【背景技術】
【０００２】
近年、コンサート等に用いられる音響機器（ＰＡ機器という）にあっては、デジタル化が進行している。すなわち、ミキサから出力された音声信号は、アンプおよびスピーカを介して放音されるが、ミキサからアンプへの入力段までが全てデジタル化され、アンプ内で音声信号がＤＡ変換された後に増幅され、スピーカから放音されるようなシステムが実用化されている。このように、デジタル音声信号を入力するアンプ（デジタルアンプという）に入力される信号としては、一般的に、ＡＥＳ／ＥＢＵ，ＡＤＡＴ等のフォーマットが採用されている。これらのフォーマットにおいては、一本のツイスト・ペアケーブルを介して、「２」系統の音声信号を伝送することができるが、さらに、「１」系統のクロック信号を重畳させることが可能である。
【０００３】
この一本のツイスト・ペアケーブルに対応するコネクタ等を本明細書においては一の入力ポートという。「入力ポート」は、例えば「３」ピンのＸＬＲコネクタなどが用いられている。従って、「８」チャンネルのデジタルアンプに対しては、「４」の入力ポートを設けると良いことになる。デジタルアンプにおいては、各チャンネルの動作の基準となるクロック信号を定める必要があり、そのクロック信号を「ワードクロック」という。ワードクロックを入力するために専用の端子を設けているデジタルアンプも存在するが、専用の端子を設けていない機種も多い。かかる機種に対しては、複数の入力ポートの中から、ワードクロックを受信するポートを選択する必要がある。
【０００４】
特許文献１には、ＰＡ機器において、ワードクロックを受信する入力ポートを選択する技術が開示されている。なお、特許文献１は直接的には「ミキサ」を実施例としているが、ここに開示されている技術は、デジタルアンプ、その他のＰＡ機器にも適用可能なものである。すなわち、特許文献１においては、当該ミキサが備える複数の入力ポートのうち、実際にワードクロックになり得るクロック信号を受信している入力ポートと、クロック信号を受信していない入力ポートとがディスプレイ上で区別して表示される。そして、ユーザは、クロック信号を受信している何れか一の入力ポートを、所定の操作子等によって、ワードクロックを受信する入力ポートとして選択することができる。
【０００５】
【特許文献１】特開平９−９３９９号公報
【発明の開示】
【発明が解決しようとする課題】
【０００６】
しかし、比較的広いコンサート会場（例えば野球場）においては、相当数のデジタルアンプが、相互に離れた場所に設置される。特許文献１の技術を用いて、これらデジタルアンプの一台一台に対してワードクロックを入力するポートを設定してゆくことは、非常に煩雑であった。また、ワードクロックの供給源の選択を間違えると、そのデジタルアンプからは音声信号が出力されないことになる。このような不具合は、アナログ信号を入力するアナログアンプでは発生し得なかったものであるため、アナログアンプの取り扱いに慣れたユーザにとっては、不具合の原因を把握するまでに時間がかかるという問題が生じる。
【０００７】
以上のような事情により、ユーザサイドからは、アナログアンプの場合と同様に、入力信号用のケーブルさえ接続すれば動作が可能になるデジタルアンプが望まれていた。
この発明は上述した事情に鑑みてなされたものであり、ワードクロックの供給源に係る、ユーザによる設定作業を省力化できるデジタル音響機器およびプログラムを提供することを目的としている。
【課題を解決するための手段】
【０００８】
上記課題を解決するため本発明にあっては、下記構成を具備することを特徴とする。なお、括弧内は例示である。
請求項１記載のデジタル音響機器にあっては、各々に対して、デジタル音声信号が供給されるとともに必要に応じてクロック信号が重畳され得る複数の入力ポートと、前記各入力ポートに供給される前記デジタル音声信号に前記クロック信号が重畳されている場合に、該クロック信号を抽出する複数のクロック信号抽出手段（３０〜３６）と、前記複数のクロック信号抽出手段（３０〜３６）の何れかから前記クロック信号が抽出されたことを条件として、該抽出された何れかのクロック信号をワードクロックとして選択する第１の選択手段（３８，ＳＰ１８〜ＳＰ２１）と、前記第１の選択手段（３８，ＳＰ１８〜ＳＰ２１）によって選択されたクロック信号の周波数を記録する周波数記憶手段（２２，CUR_WC）と、指定された周波数のクロック信号を出力する内蔵クロック・ジェネレータ（４８）と、前記複数のクロック信号抽出手段（３０〜３６）の全てから前記クロック信号が抽出されなかったことを条件として、前記内蔵クロック・ジェネレータ（４８）の出力周波数を前記周波数記憶手段（２２，CUR_WC）に記録された周波数に設定するとともに、前記内蔵クロック・ジェネレータ（４８）の出力するクロック信号をワードクロックとして選択する第２の選択手段（３８，ＳＰ２２〜ＳＰ２６）と、前記選択されたワードクロックに同期して、前記複数の入力ポートに供給されたデジタル音声信号を受信する受信手段（４０〜４６）とを具備することを特徴とする。
また、請求項２記載のプログラムにあっては、各々に対して、デジタル音声信号が供給されるとともに必要に応じてクロック信号が重畳され得る複数の入力ポートと、前記各入力ポートに供給される前記デジタル音声信号に前記クロック信号が重畳されている場合に、該クロック信号を抽出する複数のクロック信号抽出手段（３０〜３６）と、周波数を記録する周波数記憶手段（２２，CUR_WC）と、指定された周波数のクロック信号を出力する内蔵クロック・ジェネレータ（４８）と、前記複数のクロック信号抽出手段（３０〜３６）および前記内蔵クロック・ジェネレータ（４８）の出力する各クロック信号のうち一のクロック信号をワードクロックとして選択するクロック選択手段（３８）と、前記選択されたワードクロックに同期して、前記複数の入力ポートに供給されたデジタル音声信号を受信する受信手段（４０〜４６）と、処理装置（２６）とを有するデジタル音響機器に適用されるプログラムであって、前記複数のクロック信号抽出手段（３０〜３６）の何れかから前記クロック信号が抽出されているか否かを判定する判定過程（ＳＰ１２，ＳＰ１４，ＳＰ１６）と、前記判定過程（ＳＰ１２，ＳＰ１４，ＳＰ１６）の判定結果が肯定的であることを条件として、前記クロック選択手段（３８）に対して、該抽出された何れかのクロック信号を前記ワードクロックとして選択させる第１の選択過程（ＳＰ１８，ＳＰ２０）と、前記第１の選択過程（ＳＰ１８〜ＳＰ２１）によって選択されたクロック信号の周波数を前記周波数記憶手段（２２，CUR_WC）に記憶させる記憶過程（ＳＰ２１）と、前記判定過程（ＳＰ１２，ＳＰ１４，ＳＰ１６）の判定結果が否定的であることを条件として、前記内蔵クロック・ジェネレータ（４８）の出力周波数を前記周波数記憶手段（２２，CUR_WC）に記録された周波数に設定するとともに、前記クロック選択手段（３８）に対して、前記内蔵クロック・ジェネレータ（４８）の出力するクロック信号を前記ワードクロックとして選択させる第２の選択過程（ＳＰ２２〜ＳＰ２６）とを前記処理装置（２６）に実行させることを特徴とする。
【発明の効果】
【０００９】
本発明によれば、複数のクロック信号抽出手段の何れかからクロック信号が抽出された場合には第１の選択手段が該抽出された何れかのクロック信号をワードクロックとして選択する一方、複数のクロック信号抽出手段の全てからクロック信号が抽出されなかった場合には、第２の選択手段が、内蔵クロック・ジェネレータの出力周波数を周波数記憶手段に記録された周波数に設定するとともに、該内蔵クロック・ジェネレータの出力するクロック信号をワードクロックとして選択するから、適切なワードクロックの供給源を自動的に選択でき、ワードクロックに係るユーザの設定作業を省力化することができる。
【発明を実施するための最良の形態】
【００１０】
1．実施例の構成
1．1．全体構成
次に、本発明の一実施例の音響システムの構成を図１を参照し説明する。
図１において１０４はデジタルミキサであり、マイク１０２，１０２等から入力されたアナログ音声信号をデジタル信号に変換するとともにミキシング処理を実行し、その結果である複数チャンネルのデジタル音声信号をデジタル通信網１０８を介して出力する。また、デジタルミキサ１０４には、ＷＣ（ワードクロック）ジェネレータ１０６が接続されており、デジタルミキサ１０４は、当該ワードクロックもデジタル通信網１０８を介して出力する。
【００１１】
１１０，…，１１０はデジタルアンプであり、デジタル通信網１０８から、自機の担当する複数チャンネルのデジタル音声信号と、ワードクロックとを受信し、これらデジタル音声信号をアナログ音声信号に変換して増幅し、各々複数のスピーカ１２０，…，１２０を介して放音する。なお、各デジタルアンプ１１０のフロントパネルには、ユーザに対して各種情報を表示する表示器１１２と、複数の押しボタンスイッチから成る操作子部１１４とが設けられている。
【００１２】
1．2．デジタルアンプ１１０の構成
次に、各デジタルアンプ１１０の構成を図２を参照し説明する。図２において２６はＣＰＵであり、後述するプログラムに基づいて、バス１８を介して他の構成要素を制御する。２０はＲＯＭであり、後述する各種プログラム等が記録されている。２２は不揮発性のＲＡＭであり、ＣＰＵ２６のワークメモリとして用いられるとともに、デジタルアンプ１１０の動作状態（特に、後述するワードクロックの周波数）を記憶する。ここで、ＲＡＭ２２は不揮発性であるため、電源がオフにされた場合であっても、デジタルアンプ１１０の動作状態は保持される。１０は検出回路であり、操作子部１１４の操作を検出すると、その内容をバス１８を介してＣＰＵ２６に通知する。
【００１３】
１２は表示回路であり、バス１８を介してＣＰＵ２６から指示された画像を表示器１１２に表示させる。１４は音声インタフェースであり、デジタル通信網１０８を介してデジタルミキサ１０４から複数チャンネルのデジタル音声信号を、複数の入力ポートを介して受信する。そして、通常の動作状態においては、何れかの入力ポートを介して、ワードクロックも音声インタフェース１４に入力される。音声インタフェース１４においては、これらデジタル音声信号がアナログ音声信号に変換され、バス１８を介して出力される。１６は増幅回路であり、これら複数チャンネルのアナログ音声信号を各々増幅し、複数のスピーカ１２０に対して出力する。
【００１４】
1．3．音声インタフェース１４の構成
次に、音声インタフェース１４の詳細構成を図３を参照し説明する。
音声インタフェース１４には、第１〜第４入力ポートが設けられており、これら入力ポートを介して「第１，第２」、「第３，第４」、「第５，第６」、および「第７，第８」入力チャンネルのデジタル音声信号がそれぞれ入力される。３０〜３６はクロック抽出回路であり、各入力ポートから入力されるクロック信号を抽出し、抽出したクロック信号をクロック選択部３８に供給する。すなわち、クロック抽出回路３０〜３６は、各々ＰＬＬ回路を有しており、対応する入力ポートから入力されるクロック信号にＰＬＬ回路がロックすることにより、該ＰＬＬ回路がクロック信号を出力する。なお、ロック可能なクロック信号は「44.1kHz」，「48kHz」，「88.2kHz」または「96kHz」の何れかであり、元々クロック信号が重畳されていない入力ポートからは、クロック信号を抽出することはできない。また、クロック抽出回路３０〜３６におけるロック状態の有無およびロックしたクロック信号の周波数は、バス１８を介してＣＰＵ２６に通知される。
【００１５】
４８は内蔵クロック・ジェネレータであり、「44.1kHz」，「48kHz」，「88.2kHz」または「96kHz」のうち、ＣＰＵ２６によって指定された一の周波数のクロック信号を出力する。クロック選択スイッチ３８においては、ＣＰＵ２６からの指令に基づいて、クロック抽出回路３０〜３６および内蔵クロック・ジェネレータ４８から供給されたクロック信号のうち一の信号が、実際に使用に供されるワードクロックとして選択される。４０〜４６はＤＡコンバータであり、選択されたワードクロックに同期して、第１〜第４入力ポートから入力されたデジタル音声信号を、第１〜第８入力チャンネルのアナログ音声信号に変換し、これらアナログ音声信号をバス１８を介して出力する。
【００１６】
1．4．ユーザインタフェース
次に、デジタルアンプ１１０のユーザインタフェースの詳細を図４を参照し説明する。
まず、操作子部１１４は、ＥＮＴＥＲボタン７８と、左右の移動ボタン７６，８０とから構成されている。これらのボタンに対してユーザが所定の操作を行うと、表示器１１２にワードクロック設定画面Ｖ１（図４に示す表示器１１２内の画面）が表示される。ワードクロック設定画面Ｖ１において、５０〜５６は、内蔵クロック用のクロック選択部であり、内蔵クロック・ジェネレータ４８が発生する「44.1kHz」，「48kHz」，「88.2kHz」および「96kHz」のクロック信号に各々対応する。また、５８〜６４は入力ポート用のクロック選択部であり、第１〜第４入力ポートに各々対応する。
【００１７】
これらクロック選択部５０〜６４においては、対応する各クロック信号の状態が表示される。すなわち、これらクロック選択部５０〜６４のうち、「白抜き」の選択部は、ワードクロック・マスタ（ワードクロックの供給源）として選択可能ではあるが、現状では選択されていない状態を指す。また、「×」が付された選択部は、ワードクロック・マスタとして選択不可能な状態（例えば、そもそもクロック信号を受信していない状態）を指す。また、ハッチングを施した選択部は、ワードクロック・マスタとして選択可能ではあり、かつ、現在ワードクロック・マスタとして選択されている状態を示す。従って、図４の例においては、第１入力ポートがワードクロック・マスタとして選択されており、その他の第２〜第４入力ポートはワードクロック・マスタとして選択不可能であることが解る。そして、内蔵クロック・ジェネレータ４８の出力するクロック信号は、現在のところはワードクロック・マスタとして選択されていないが、必要に応じて選択可能であることが解る。
【００１８】
６６はＡＵＴＯボタンであり、ワードクロック・マスタの再設定の指示（詳細は後述する）を行うためのものである。６８はＯＫボタンであり、ワードクロック設定画面Ｖ１を閉じる指示を行うためのものである。７０はカーソルであり、ユーザが移動ボタン７６，８０を押下する毎に、ワードクロック設定画面Ｖ１内を移動する。なお、カーソル７０が移動する範囲は、クロック選択部５０〜６４のうち選択可能なもの（白抜きおよびハッチングの選択部）と、ＡＵＴＯボタン６６と、ＯＫボタン６８とである。そして、カーソル７０がクロック選択部５０〜６４のうち何れかに位置する場合にＥＮＴＥＲボタン７８が押下されると、対応するクロック選択部がワードクロック・マスタとしてマニュアル選択される。
【００１９】
また、ＯＫボタン６８上にカーソル７０が位置する場合にＥＮＴＥＲボタン７８が押下されると、ワードクロック設定画面Ｖ１が閉じられ、表示器１１２にはデジタルアンプ１１０の基本画面（図示せず）が表示される。また、ＡＵＴＯボタン６６上にカーソル７０が位置する場合にＥＮＴＥＲボタン７８が押下されると、後述するＷＣサーチ／ロックルーチン（図５(b)）が起動される。また、表示器１１２の右方において７２はロック表示灯（緑色）であり、第１〜第４入力ポートの何れかがワードクロック・マスタとして選択されている場合に点灯する。また、７４はアンロック警告灯（赤色）であり、内蔵クロック・ジェネレータ４８がワードクロック・マスタとして選択されている場合に点灯する。
【００２０】
本実施例において内蔵クロック・ジェネレータ４８の出力するクロック信号は、各ポートから入力されるデジタル音声信号には同期していない。このため、かかるクロック信号をワードクロックとして選択すると、ＤＡコンバータ４０〜４６においてデジタル音声信号を構成する各ビットをラッチするタイミングが必ずしも適切にならず、これによってノイズが生じることもある。このため、内蔵クロック・ジェネレータ４８をワードクロック・マスタとして選択する場合には、アンロック警告灯７４によって警告表示を行うようにしている。
【００２１】
2．実施例の動作
2．1．初期動作
次に、本実施例の動作を説明する。
まず、デジタルアンプ１１０の電源が投入されると、図５(a)に示すＷＣデフォルト設定ルーチンが起動される。図において処理がステップＳＰ２に進むと、ＲＡＭ２２の所定アドレスからカレント周波数CUR_WCが読み出される。なお、カレント周波数CUR_WCとは、当該デジタルアンプ１１０が何れかの入力ポートから受信されたクロック信号のうち、最後にワードクロックとして選択されたクロック信号の周波数である。次に、処理がステップＳＰ４に進むと、内蔵クロック・ジェネレータ４８の出力周波数として、該カレント周波数CUR_WCが設定され、クロック選択スイッチ３８にあっては内蔵クロック・ジェネレータ４８がワードクロック・マスタとして選択される。以上のステップが終了すると、本ルーチンが終了する。
【００２２】
2．2．ＷＣサーチおよびロック動作
本実施例にあっては、以下の何れかの場合において、ＷＣサーチ／ロックルーチン（図５(b)）が起動される。
(１)カーソル７０（図４参照）がＡＵＴＯボタン６６上に位置するときにＥＮＴＥＲボタン７８が押下された場合。
(２)内蔵クロック・ジェネレータ４８がワードクロック・マスタに選択されている際に、所定時間（例えば「１０秒」程度）毎。
(３)ある入力ポートがワードクロック・マスタとして選択されている際に、当該入力ポートに係るクロック抽出回路３０〜３６のロックが外れた場合。
【００２３】
本ルーチンが呼び出され、図５(b)において処理がステップＳＰ１２に進むと、現在のワードクロック・マスタに基づいて、図５(c)に示すサーチ順序に従って、次の入力ポートが調査対象ポートとして選択される。例えば、現在のワードクロック・マスタが仮に内蔵クロック・ジェネレータ４８であれば、第１入力ポートが調査対象ポートとして選択され、また、現在のワードクロック・マスタが仮に第３入力ポートであれば、第４入力ポートが調査対象ポートとして選択される。
【００２４】
次に、処理がステップＳＰ１４に進むと、クロック抽出回路３０〜３６のうち、調査対象ポートに対応するクロック抽出回路がロック状態であるか否かが判定される。ここでロック状態であれば「ＹＥＳ」と判定され、処理はステップＳＰ１８に進み、ロック表示灯７２が点灯され、アンロック警告灯７４が消灯される。次に、処理がステップＳＰ２０に進むと、クロック選択スイッチ３８によって、当該クロック抽出回路がワードクロック・マスタとして選択される。次に、処理がステップＳＰ２１に進むと、当該ワードクロックの周波数がカレント周波数CUR_WCとしてＲＡＭ２２に記憶され、本ルーチンの処理が終了する。
【００２５】
一方、調査対象ポートに調査対象ポートに対応するクロック抽出回路がロック状態でなければ、ステップＳＰ１４において「ＮＯ」と判定され、処理はステップＳＰ１６に進む。ここでは、今回のＷＣサーチ／ロックルーチンの処理において、第１〜第４入力ポートの全てが調査対象ポートとして選択されたか否かが判定される。ここで、「ＮＯ」と判定されると、処理はステップＳＰ１２に戻り、サーチ順序（図５(c)）に従って、次の入力ポートが調査対象ポートとして選択され、同様にステップＳＰ１４以降の処理が実行される。そして、第１〜第４入力ポートの全てが調査対象ポートとして選択された後に処理がステップＳＰ１６に進むと、ここで「ＹＥＳ」と判定され、処理はステップＳＰ２２に進む。
【００２６】
かかる場合は、クロック抽出回路３０〜３６の何れにおいてもロック状態が検出されなかったことになるため、ステップＳＰ２２においては、ロック表示灯７２が消灯され、アンロック警告灯７４が点灯される。次に、処理がステップＳＰ２４に進むと、ＲＡＭ２２からカレント周波数CUR_WCが読み出され、ステップＳＰ２６においては、内蔵クロック・ジェネレータ４８の出力周波数として、該カレント周波数CUR_WCが設定され、クロック選択スイッチ３８にあっては内蔵クロック・ジェネレータ４８がワードクロック・マスタとして選択される。以上のステップが終了すると、本ルーチンの処理が終了する。
【００２７】
3．実施例の効果
以上説明したように、本実施例によれば、最初にデジタルアンプ１１０の電源を投入したとき、内蔵クロック・ジェネレータ４８の出力周波数として、カレント周波数CUR_WCが選択されるとともに、内蔵クロック・ジェネレータ４８がワードクロック・マスタとして選択される（ＳＰ２，ＳＰ４）。一般的に一のユーザ（主としてＰＡ業者）は、ワードクロックの周波数として特定の周波数を使い続ける傾向が強いため、電源投入時に自動的に選択されたカレント周波数CUR_WCは、今回の用途においても正しい周波数である可能性が高い。
【００２８】
さらに、その後においては、所定時間毎に、ＷＣサーチ／ロックルーチン（図５(b)）が起動されるから、何れかの入力ポートからクロック信号が供給されると、その旨がサーチされ（ＳＰ１４）当該入力ポートが自動的にワードクロック・マスタに選択される（ＳＰ１８〜ＳＰ２１）。これにより、ユーザがなんら操作を行わなくても、入力されるデジタル音声信号とワードクロックとの同期を自動的に確保できる。
【００２９】
また、ある入力ポートがワードクロック・マスタとして選択されている際に、何らかの事故等によって当該入力ポートからクロック信号が供給されなくなると、対応するクロック抽出回路３０〜３６のロックが外れる。本実施例にあっては、かかる場合にも、ＷＣサーチ／ロックルーチン（図５(b)）が自動的に起動されるから、クロック信号を受信している他の入力ポートがサーチされ（ＳＰ１２〜ＳＰ１６）、当該他の入力ポートが新たなワードクロック・マスタとして自動的に選択される（ＳＰ１８〜ＳＰ２１）。これにより、入力デジタル音声信号に同期したクロック信号を継続的にワードクロックとして選択し続けることができる。
【００３０】
また、本実施例においては、カーソル７０（図４参照）がＡＵＴＯボタン６６上に位置するときにＥＮＴＥＲボタン７８が押下された場合にも、ＷＣサーチ／ロックルーチン（図５(b)）を起動することができる。これにより、ユーザが必要と認めた場合には、かかる操作を行うことにより、上記所定時間（例えば「１０秒」程度）を待つことなく、ワードクロック・マスタの再設定を迅速に実行させることができる。
【００３１】
また、全ての入力ポートにおいてクロック信号のロックが検出されなかった場合（ステップＳＰ１６にて「ＹＥＳ」と判定される場合）の動作についても、本実施例の特徴がある。すなわち、かかる場合には、「何れかの入力ポートから受信されたクロック信号のうち、最後にワードクロックとして選択されたクロック信号の周波数」であるカレント周波数CUR_WCを、内蔵クロック・ジェネレータ４８の出力周波数とした上で、内蔵クロック・ジェネレータ４８をワードクロック・マスタに設定することができる（ステップＳＰ２２〜ＳＰ２６）。これにより、入力ポートからクロック信号が全く供給されなくなった場合においても、従前のクロック周波数であるカレント周波数CUR_WCによってＤＡ変換を継続し、（上述したようにノイズが生じる可能性が生じるものの）アナログ音声信号の放音を継続することが可能である。
【００３２】
4．変形例
本発明は上述した実施例に限定されるものではなく、例えば以下のように種々の変形が可能である。
(1)上記実施例においては、ＣＰＵ２６上で動作するプログラムによってワードクロック・マスタを選択する等の処理を行ったが、このプログラムのみをＣＤ−ＲＯＭ、メモリカード等の記録媒体に格納して頒布し、あるいは伝送路を通じて頒布することもできる。
【００３３】
(2)上記実施例においては、デジタルアンプ１１０に本発明を適用した例を説明したが、本発明はデジタルアンプに限られるものではなく、ミキサやスイッチャーなど、種々のデジタル音響機器に適用可能である。
【図面の簡単な説明】
【００３４】
【図１】本発明の一実施例の音響システムのブロック図である。
【図２】デジタルアンプ１１０のブロック図である。
【図３】デジタルアンプ１１０内の音声インタフェース１４のブロック図である。
【図４】デジタルアンプ１１０の要部の正面図である。
【図５】デジタルアンプ１１０の制御プログラムのフローチャートである。
【符号の説明】
【００３５】
１０：検出回路、１２：表示回路、１４：音声インタフェース、１６：増幅回路、１８：バス、２０：ＲＯＭ、２２：ＲＡＭ（周波数記憶手段）、２６：ＣＰＵ（処理装置）、３０〜３６：クロック抽出回路（クロック信号抽出手段）、３８：クロック選択スイッチ（クロック選択手段）、４０〜４６：ＤＡコンバータ、４８：内蔵クロック・ジェネレータ、５０〜６４：クロック選択部、６６：ＡＵＴＯボタン、６８：ＯＫボタン、７０：カーソル、７２：ロック表示灯、７４：アンロック警告灯、７６，８０：移動ボタン、７８：ＥＮＴＥＲボタン、１０２，１０２：マイク、１０４：デジタルミキサ、１０６：ＷＣジェネレータ、１０８：デジタル通信網、１１０：デジタルアンプ、１１２：表示器、１１４：操作子部、１２０：スピーカ。
【図１】
2010232958.tif 000003
【図２】
2010232958.tif 000004
【図３】
2010232958.tif 000005
【図４】
2010232958.tif 000006
【図５】
2010232958.tif 000007